(57)【特許請求の範囲】
【請求項１】
荷役材の端部を係止する吊りフックと、前記吊りフックの上部に軸着された、ワイヤーロープ等の下端に取り付けられるシャックルと、前記吊りフックの外側に位置する、前記吊りフックを前記荷役材から掛け外すためのフック外しレバーと、前記シャックルの回動を前記フック外しレバーに伝達するためのラチエット機構と、前記シャックルをその軸着部を中心として一定方向に引っ張るシャックル引張り機構とからなり、
荷役材の吊り降ろし時において、前記シャックル引張り機構による前記シャックルの回動を、前記ラチエット機構を介して前記フック外しレバーに伝達し、前記フック外しレバーを回動させて、前記吊りフックに係止されている荷役材の端部に当接させることにより、前記荷役材に係止されている前記吊りフックを掛け外すことを特徴とする吊りフック自動掛け外し装置。
【請求項２】
前記ラチエット機構は、前記シャックルの軸着部に、その水平軸から所定間隔をあけて突設された環状ラチエットと、前記環状ラチエットが嵌挿される、前記フック外しレバーの軸着部に突設された環状フランジに取り付けられている、前記環状ラチエットに歯合する爪とからなっている、請求項１記載の装置。
【請求項３】
前記シャックル引張り機構は、前記シャックルに設けられた環状ラチエットと前記吊りフックの水平軸との間に形成された環状の空隙に、一端が前記水平軸に固定され、他端が前記環状ラチエットの内面に固定されて取り付けられた渦巻きばねからなっている、請求項１記載の装置。
【発明の詳細な説明】
【０００１】
【発明の属する技術分野】
この発明は、クレーン等からのワイヤーロープに取り付けられた吊りフックに鋼管等の荷役材を係止し、吊り上げ吊り降ろしを行う荷役作業において、吊り降ろし時に、荷役材の端部に係止されている吊りフックを自動的に取り外すための、吊りフックの自動掛け外し装置に関するものである。
【０００２】
【従来の技術】
クレーン等からのワイヤーロープに取り付けられた吊りフックを、鋼管等の荷役材の端部に係止し、吊り上げ吊り降ろしを行う荷役作業において、吊り降ろし時に行われる、荷役材の端部に係止された吊りフックの掛け外しは、従来、複数名の作業員によって手作業により実施されていた。
【０００３】
【発明が解決しようとする課題】
上述したように、荷役材である鋼管等に対する吊りフックの掛け外し作業は、従来、複数名の作業員による手作業によって行われていたために、作業に時間を要する上、危険を伴い、各種サイズの多量の鋼管等を荷役するために、フックの掛け替え頻度が増大する折から、クレーンの稼働能率の低下を招いていた。
【０００４】
上述した問題を解決するために、例えば、特開昭６３−１７１７９１号公報には、吊りフックの掛け外しを自動的に行う装置（以下、先行技術という）が提案されている。図１１は先行技術の概略正面図であって、図面に示すように、先行技術の吊り具は、釣鉤具２０を垂設した頂部梁２１と、頂部梁２１の上面に設けられたスライドレール２２と、スライドレール２２上に対設した着脱スタンド２３、２３と、着脱スタンド２３、２３を拡開する駆動機構２４と、一方の着脱スタンド２３に取付けた着脱ピン２５と、他方の着脱スタンド２３に設けた着脱孔と、着脱スタンド２３、２３の垂直部に設けられた誘導板２６とからなっており、着脱スタンド２３、２３の誘導板２６間に間にフックを挿入し、これを相互に寄る方向に動かすことによりフックを回動させ、着脱ピン２５によってフックを係止させる構造である。このように、先行技術は、構造が複雑であり実用的な装置ではない。
【０００５】
従って、この発明の目的は、上述した問題を解決し、クレーン等からのワイヤーロープに取り付けられた吊りフックによって鋼管等の荷役材を係止し、吊り上げ吊り降ろしを行う荷役作業において、吊り降ろし時に、荷役材の端部に係止された吊りフックを、作業員を要せず自動的に掛け外すことができ、クレーンの能率向上および要員の合理化を図ることができる吊りフックの自動掛け外し装置を提供することにある。
【０００６】
【課題を解決するための手段】
請求項１に記載のこの発明の吊りフック自動掛け外し装置は、荷役材の端部を係止する吊りフックと、前記吊りフックの上部に軸着された、ワイヤーロープ等の下端に取り付けられるシャックルと、前記吊りフックの外側に位置する、前記吊りフックを前記荷役材から掛け外すためのフック外しレバーと、前記シャックルをその軸着部を中心として一定方向に引っ張るシャックル引張り機構と、前記シャックルの回動を前記フック外しレバーに伝達するラチエット機構とからなり、荷役材の吊り降ろし時において、前記シャックル引張り機構による前記シャックルの回動を、前記ラチエット機構を介して前記フック外しレバーに伝達し、前記フック外しレバーを回動させて、前記吊りフックに係止されている荷役材の端部に当接させることにより、前記荷役材の端部に係止されている前記吊りフックを掛け外すことに特徴を有するものである。
【０００７】
請求項２に記載の装置は、前記ラチエット機構が、前記シャックルの軸着部に、その水平軸から所定間隔をあけて突設された環状ラチエットと、前記環状ラチエットが嵌挿される、前記フック外しレバーの軸着部に突設された環状フランジに取り付けられている、前記環状ラチエットに歯合する爪とからなっていることに特徴を有するものである。
【０００８】
請求項３に記載の装置は、前記シャックル引張り機構が、前記シャックルに設けられた環状ラチエットと前記吊りフックの水平軸との間に形成された環状の空隙に、一端が前記水平軸に固定され、他端が前記環状ラチエットの内面に固定されて取り付けられた渦巻きばねからなっていることに特徴を有するものである。
【０００９】
【発明の実施の形態】
次に、この発明を図面を参照しながら説明する。図１は、この発明の装置の一実施態様を示す正面図、図２は図１のＡ視側面図である。図面に示すように、この発明の装置は、荷役材の端部を係止する吊りフック１と、クレーン等からのワイヤーロープの下端に取り付けられる逆Ｕ字状のシャックル２と、吊りフック１の両側に位置する、吊りフック１を荷役材から掛け外すためのフック外しレバー３と、シャックル２をその軸着部を中心として一定方向に引っ張るシャックル引張り機構と、シャックル２の回動をフック外しレバー３に伝達するラチエット機構とからなっている。
【００１０】
シャックル２およびフック外しレバー３は、吊りフック１の上部に固定されてている、吊りフック１を中心とし左右に伸びる水平軸４に回動自在に軸着されている。
【００１１】
図３に図１のＢ−Ｂ線断面図で、図４に図３のフック外しレバーを取り除いた状態でのＣ矢視図で、図５にシャックルおよびフック外しレバー軸着部の拡大断面図で、図６に図５のＤ部詳細図で示すように、吊りフック１の水平軸４に対するシャックル２の軸着部には、ラチエット機構として、外周面に歯５ａが形成された環状ラチエット５が水平軸４から所定間隔をあけて突設されている。
【００１２】
また、吊りフック１の水平軸４に対するフック外しレバー３の軸着部には、シャックル２に突設された環状ラチエット５の外周面に沿って、環状ラチエット５が嵌挿される環状フランジ７が設けられている。
【００１３】
環状フランジ７の所定箇所には、環状ラチエット５の歯５ａに歯合する爪８が、スプリング９により出没自在に取り付けられている。従って、上記環状フランジ７に取り付けられた爪８を、シャックル２の環状ラチエット５の歯５ａに噛み合わせることにより、シャックル２の回動に従って、フック外しレバー３は回動する。
【００１４】
シャックル２に設けられた環状ラチエット５と、吊りフック１の水平軸４との間に形成された環状の空隙には、シャックル引張り機構として、一端が水平軸４に固定され、他端が環状ラチエット５の内面に固定された渦巻きばね６が取り付けられている。従って、シャックル２は、常時は渦巻きばね６の弾力によって、図１の実線で示すＸの位置に引っ張られており、シャックル２を、図１の２点鎖線で示すＹ位置に回動させると、渦巻きばね６の弾力によって、シャックル２に元の位置に復帰しようとする力が発生する。
【００１５】
次に、この発明の装置の作動を、図７〜図１０に基づいて説明する。先ず、図７に示すように、作業者が、図６に示したラチエット５をオフにした上、フック外しレバー３を反時計回りに回動させ、吊りフック１を鋼管等の荷役材１０の端部に係止する。
【００１６】
この状態で荷役材１０を吊り上げると、弛んでいたワイヤーロープは緊張し、図８に示すように、シャックル２は、渦巻きばね６の弾力に抗して、図面上、左方向の位置Ｙに回動する。その結果、渦巻きばね６は巻かれると共に、シャックル２は、荷役材１０の自重によってその場所に位置する。
【００１７】
このようにして荷役材１０を運搬し、所定位置に吊り降ろすと、図９に示すように、荷役材１０を吊り上げていたワイヤロープが緩み、ワイヤロープが取り付けられたシャックル２は、渦巻きばね６の弾力によって、図面上、右方向の位置Ｘに時計回りに回動する。
【００１８】
その結果、ラチエット１０によりフック外しレバー３は時計回りに回動して、図１０に示すように荷役材１４の端部に当接する。従って、その反力によって、荷役材１０の端部に係止されている吊りフック１は離脱する。
【００１９】
【発明の効果】
以上述べたように、この発明によれば、クレーン等からのワイヤーロープに取り付けられた吊りフックによって荷役材を係止し、吊り上げ吊り降ろしを行う荷役作業において、吊り降ろし時に、荷役材の端部に係止された吊りフックを、作業員を要せず自動的に取り外すことができ、クレーンの能率向上および要員の合理化を図ることができる、工業上有用な効果がもたらされる。
【図面の簡単な説明】
【図１】この発明の装置の一実施態様を示す正面図である。
【図２】図１のＡ視側面図である。
【図３】図２のＢ−Ｂ線断面図である。
【図４】図３のフック外しレバーを取り除いた状態でのＣ矢視図である。
【図５】シャックルおよびフック外しレバー軸着部の拡大断面図である。
【図６】図５のＤ部詳細図である。
【図７】この発明の装置の作動を示す荷役材吊上げ前の状態を示す説明図である。
【図８】この発明の装置の作動を示す荷役材吊上げ時の状態を示す説明図である。
【図９】この発明の装置の作動を示す荷役材吊降ろし時の状態を示す説明図である。
【図１０】この発明の装置の作動を示す荷役材吊降ろし後の状態を示す説明図である。
【図１１】先行技術の概略正面図である。
【符号の説明】
１  吊りフック
２  シャックル
３  フック外しレバー
４  水平軸
５  ラチエット
６  渦巻きばね
７  環状フランジ
８  爪
９  スプリング
10  荷役材
【図１】
0003677929.tif 000002
【図２】
0003677929.tif 000003
【図３】
0003677929.tif 000004
【図４】
0003677929.tif 000005
【図５】
0003677929.tif 000006
【図６】
0003677929.tif 000007
【図７】
0003677929.tif 000008
【図８】
0003677929.tif 000009
【図９】
0003677929.tif 000010
【図１０】
0003677929.tif 000011
【図１１】
0003677929.tif 000012